(57)【要約】【課題】患者が不適性な健康保険証を持参または健康保険証を持参できなかった場合にも適正な保険診療および投薬を可能にする。【解決手段】診察受付けで（Ｓ１）、保険証提示を受け（Ｓ２）、提示が有れば保険証番号を読み取り（Ｓ３）、保険証の認証を行う（Ｓ４）。提示が無い場合、前回までの保険証の提示をチェックし（Ｓ５）、提示があればデータベースから保険証番号を読出し（Ｓ６）、保険証認証（Ｓ４）に移行する。患者が急病等で保険証提示ができない場合、クレジットカードの有効性を確認し（Ｓ７）、有効であれば、カードを担保とした保険診療扱いとし（Ｓ８）、無効であれば、非保険診療扱いとする（Ｓ９）。これら情報は、診療に際して電子カルテ表示画面での常時表示画像として表示させることで保険診療の是非を容易に認識させる（Ｓ１０）。診療（Ｓ１１）や会計・投薬（Ｓ１２）にも利用する。【選択図】      図１
2004246854.tif 000002
【特許請求の範囲】
【請求項１】
医療施設における診療、医療事務、投薬等の医療業務を支援し、電子カルテ方式で患者の診療情報の画面表示と入力操作および管理を可能にした医療支援コンピュータシステムにおける保険診療支援システムであって、
患者の診療前に、患者の健康保険証の有効／無効および健康保険内容の認証を得ておく手段と、
電子カルテを画面表示した診療時に、該電子カルテの操作に拘わらず、前記健康保険証の有効／無効および健康保険内容を、該電子カルテ表示画面上に常時表示する手段とを備えたことを特徴とする保険診療支援システム。
【請求項２】
医療施設における診療、医療事務、投薬等の医療業務を支援し、健康保険証情報と診察券情報の少なくとも一方の情報をもつＩＣカードの読取りで患者の診療情報の画面表示と入力操作および管理を可能にした医療支援コンピュータシステムにおける保険診療支援システムであって、
患者の診療前に、患者の健康保険証の有効／無効および健康保険内容の認証を得ておく手段と、
患者の診療情報を画面表示した診療時に、該診療情報の操作に拘わらず、前記健康保険証の有効／無効および健康保険内容を、該診療情報の表示画面上に常時表示する手段とを備えたことを特徴とする保険診療支援システム。
【請求項３】
前記健康保険証の有効／無効および健康保険内容の認証は、健康保険組合側に検証機構を用意し、医療施設側の医療支援コンピュータシステムに健康保険証承認機構を用意し、両機構が広域ネットワークを介した通信によって得る機構を備えたことを特徴とする請求項１または２に記載の保険診療支援システム。
【請求項４】
前記健康保険証に代えて、患者からクレジットカードまたはデビットカードの提示を受けたとき、該カードの認証を得ることで前記健康保険証の有効／無効および健康保険内容の仮の認証とする手段を備えたことを特徴とする請求項１または２に記載の保険診療支援システム。
【請求項５】
前記クレジットカードの認証は、クレジットカード発行機関側に検証機構を用意し、医療施設側の医療支援コンピュータシステムにクレジットカード承認機構を用意し、両機構が広域ネットワークを介した通信によって得る機構を備えたことを特徴とする請求項４に記載の保険診療支援システム。
【請求項６】
前記医療支援コンピュータシステムは、診療後の処方箋の発行に際して、前記健康保険証および健康保険内容の認証結果に応じて、または前記クレジットカードの認証結果に応じて、患者の会計および投薬に際して付加情報として通知し、患者負担率を基にした請求額を自動的に算定する手段を備えたことを特徴とする請求項１〜５のいずれか１項に記載の保険診療支援システム。
【請求項７】
医療施設における診療、医療事務、投薬等の医療業務を支援し、電子カルテ方式で患者の診療情報の画面表示と入力操作および管理を可能にした医療支援コンピュータシステムにおける保険診療支援方法であって、
患者の診療前に、患者の健康保険証の有効／無効および健康保険内容の認証を得ておく過程と、
電子カルテを画面表示した診療時に、該電子カルテの操作に拘わらず、前記健康保険証の有効／無効および健康保険内容を、該電子カルテ表示画面上に常時表示する過程とを備えたことを特徴とする保険診療支援方法。
【請求項８】
医療施設における診療、医療事務、投薬等の医療業務を支援し、健康保険証情報と診察券情報の少なくとも一方の情報をもつＩＣカードの読取りで患者の診療情報の画面表示と入力操作および管理を可能にした医療支援コンピュータシステムにおける保険診療支援方法であって、
患者の診療前に、患者の健康保険証の有効／無効および健康保険内容の認証を得ておく過程と、
患者の診療情報を画面表示した診療時に、該診療情報の操作に拘わらず、前記健康保険証の有効／無効および健康保険内容を、該診療情報の表示画面上に常時表示する過程とを備えたことを特徴とする保険診療支援方法。
【請求項９】
前記健康保険証の有効／無効および健康保険内容の認証は、健康保険組合側に検証過程を用意し、医療施設側の医療支援コンピュータシステムに健康保険証承認過程を用意し、両過程が広域ネットワークを介した通信によって得る過程を備えたことを特徴とする請求項７または８に記載の保険診療支援方法。
【請求項１０】
前記健康保険証に代えて、患者からクレジットカードまたはデビットカードの提示を受けたとき、該カードの認証を得ることで前記健康保険証の有効／無効および健康保険内容の仮の認証とする過程を備えたことを特徴とする請求項７または８に記載の保険診療支援方法。
【請求項１１】
前記クレジットカードの認証は、クレジットカード発行機関側に検証過程を用意し、医療施設側の医療支援コンピュータシステムにクレジットカード承認過程を用意し、両過程が広域ネットワークを介した通信によって得る過程を備えたことを特徴とする請求項１０に記載の保険診療支援方法。
【請求項１２】
前記医療支援コンピュータシステムは、診療後の処方箋の発行に際して、前記健康保険証および健康保険内容の認証結果に応じて、または前記クレジットカードの認証結果に応じて、患者の会計および投薬に際して付加情報として通知し、患者負担率を基にした請求額を自動的に算定する過程を備えたことを特徴とする請求項７〜１１のいずれか１項に記載の保険診療支援方法。
【発明の詳細な説明】
【０００１】
【発明の属する技術分野】
本発明は、病院や医院などにおける医療を支援するための医療支援コンピュータシステムに係り、特に電子カルテを採用したシステムにおける患者の保険診療を適時認証するための保険診療支援システムおよび保険診療支援方法に関する。
【０００２】
【従来の技術】
図５は、病院における医療支援コンピュータシステムの例を示す。医院に比べて比較的規模の大きい病院では、診療部門と医療事務や検査等の部門分けがされており、医療支援コンピュータシステムではこれら業務を統括した効率的な支援を可能とする。
【０００３】
同図では、複数の診察室別に設けられる診療支援システム１と、集中化した診察受付や会計処理部門に設けられる医療事務システム２と、血液検査や放射線撮影等の検査部門３と、薬局部門４と、医療情報の集約管理のためのカルテ等の情報管理を行うデータベースを含むサーバ５等がＬＡＮ（ローカルエリアネットワーク）で通信接続される。さらに、広域ネットワークを介した連携医療施設６、医療支援コンピュータシステムのサポートセンタ７、血液検査法人等の外注検査施設８等に通信接続可能にされる。
【０００４】
このような医療支援コンピュータシステムによる医療支援は、診療対象者（外来患者または入院患者）が診察券を持参したときの医療事務システム２での自動受付処理、この自動受付によるカルテの診療支援システム１側への自動搬送処理、担当医による診療に際しての検査部門３側への検査内容の自動通知処理、適切な薬情報の自動提示処理や検査結果の自動提示処理、薬局部門４側への投薬情報の自動通知処理などの情報処理を支援する。さらに、連携医療施設６等による医療情報の交換処理や外注検査施設８への検査内容指示処理を支援する。
【０００５】
なお、医院に対応した医療支援コンピュータシステムでは、診療支援システム１に検査部門３とサーバ５を統合し、医療事務システム２に薬局部門４を統合した簡易形システムに構成される。
【０００６】
さらに、カルテとしては、従前のペーパ方式に代えて、図５中に電子カルテ９として示す電子カルテ方式が普及してきている。この電子カルテ方式は、ペーパ方式カルテで採用される患者特定情報、診察・治療情報、投薬履歴情報等からなるカルテ情報をＬＡＮ伝送し、担当医は診療支援システム１のディスプレイ装置上で画面表示、およびこれに対する電子ペンやキーボードからの診断・治療・投薬情報等の入力操作を可能とし、さらに電子情報として医療事務システム２等への必要事項データの自動転送やサーバ５のデータベースによる保存管理を可能にする。
【０００７】
一方、ＩＣカードの利用方式として、患者の受診日時、受診科目などの診察券情報を記録／更新可能にしたＩＣカードを構成し、このＩＣカードを患者が携帯し、病院での受付けおよび病院側での診察券情報を基にした診療支援情報等の自動搬送や情報伝送を可能にする方式が検討されている。
【０００８】
さらに、ＩＣカードの利用方式として、健康保険証に代えて、健康保険証情報をＩＣカードに記録／更新可能にしたシステムも検討されている。なお、健康保険証は、所帯主とその家族を一括登録しておく従前の被保険者証に代えて、個人別に被保険者証を発行および個人別の携帯を可能とするシステムも検討されている。
【０００９】
上記のことから、ＩＣカードに診察券情報と健康保険証情報を記録／更新可能にしておくことで、患者は診察券と健康保険証を一括管理でき、病院側においても診察受付けから投薬までの医療支援管理を患者から提示を受けるＩＣカードから一括管理可能となる。
【００１０】
【発明が解決しようとする課題】
従来の病院における受診手順は、病院の外来患者は初診でない限り受付で診察券を自動受付機に投入し、受診予約確認で診察受付伝票を受け取って該当する診療科目の受付に提出し、診療を受けて処方箋を受け取り、処方箋と健康保険証を医療事務システム２に提示して診療報酬を支払い、投薬された場合には薬局部門４や外部処方箋受付薬局で薬代を払って薬を受け取る。
【００１１】
これら受診手順は、医院における受診では簡略化されるも同様の手順になる。また、前記の電子カルテ方式を採る医療支援コンピュータシステムを設備する医療施設における受診では、カルテの自動搬送システムや医療事務・検査・投薬等の指示伝票システムが省略されるが、ほぼ同等の手順になる。
【００１２】
ここで、診療報酬や薬代は、患者が持参する健康保険証の記載内容を基に、患者が加入する保険種別（健康保険組合、国民健康保険組合など）と、患者本人とその家族の違い、高齢者と一般人との違いなどから自動的に算定される。そして、診療報酬や薬代は健康保険証の記載内容を基にして、患者本人からその自己負担分を徴収し、差額を患者が所属する保険組合から徴収している。
【００１３】
このように、現状の診療報酬料・薬代の徴収は、健康保険証の記載内容を基に算定されるため、患者が健康保険証の持参を忘れたためにそのまま保険診療をした場合や保険料未払い等で健康保険証が失効していた場合には、医療施設や薬局は健康保険組合への支払請求時に健康保険組合より有効・無効の判断を診療行為を施した医療施設や薬局に下され、無効の場合の対処はその医療施設や薬局は支払いを拒否されてしまう。
【００１４】
一方、患者が出先における急病等で、健康保険証を所持していない場合には保険診療を受けられないと言う不都合があった。
【００１５】
以上までの課題は、診察券情報または健康保険証情報の一方のみを記録したＩＣカード、さらには診察券情報と健康保険証情報の両方を記録したＩＣカードを利用する医療支援コンピュータシステムにもある。
【００１６】
本発明の目的は、電子カルテを利用した医療支援またはＩＣカードを利用した医療支援を行うコンピュータシステムにおいて、患者が不適性な健康保険証を持参した／または患者が健康保険証を持参できなかった場合にも適正な保険診療および投薬を可能にした保険診療支援システムおよび保険診療支援方法を提供することにある。
【００１７】
【課題を解決するための手段】
本発明は、前記の課題を解決するため、患者の健康保険証の有効／無効および健康保険内容を担当医が診療時に意識することなく判り易い方法で提示可能とするものである。
すなわち、電子カルテ方式またはＩＣカード方式を採る医療支援コンピュータシステムにおいて、患者の診療前に（例えば、受付待ち行列から電子カルテの処理対象に移行した時点）、患者の健康保険証の有効／無効および健康保険内容の認証を得ておき、診療時点で電子カルテ表示画面などの診療画面上に、健康保険証の有効／無効および健康保険内容が、電子カルテの操作に拘わらず（操作画面の切替等による画面の切り替わり）、担当医が常に画面上で視認できるようにする。
【００１８】
この電子カルテ表示等に付加する健康保険証の有効性と保険内容の表示機能により、医師は、診療に取り掛かる前に、事前に患者の治療費の支払方法を知ることができ、患者の負担を考慮した治療方法を選択可能となる。また、診療により発行される処方箋を基にした薬局側での投薬に際しては、健康保険証の有効／無効と保険内容が確認されており、薬代の負担に間違いを起こすことをなくす。
【００１９】
また、本発明は、患者が出先における急病等で、健康保険証を所持していない場合、患者がクレジットカード（銀行のテビットカードも含む）を提示することで、このカードの認証を得ることで健康保険証および保険内容の仮の認証として、保険診療が受けられるようにする。
【００２０】
すなわち、診療を受ける前に、患者が健康保険証の代わりにクレジットカードを提示したとき、そのクレジットカードの有効性が確認できた場合、カードを担保として保険診療（通常は、非保険扱いで、後日返金）を受けられるようにする。後日、健康保険証の記号・番号等を患者は当該医療施設に通知することで完了する。万一、期日までに、当該患者からの通知が無かった場合は、提示されたクレジットカードに対して不足分を請求可能となる。
【００２１】
以上の健康保険証の認証およびこれの仮の認証とするクレジットカードの認証は、インターネット等の広域データ通信網や電話・ＦＡＸ等の音声・画像通信網と、それらに接続され、当該医療施設内に設備される医療支援コンピュータシステムの付加機能として実現する。
【００２２】
以上のことから、本発明は、以下の保険診療支援システムおよび保険診療支援方法を特徴とする。
（１）医療施設における診療、医療事務、投薬等の医療業務を支援し、電子カルテ方式で患者の診療情報の画面表示と入力操作および管理を可能にした医療支援コンピュータシステムにおける保険診療支援システムであって、
患者の診療前に、患者の健康保険証の有効／無効および健康保険内容の認証を得ておく手段と、
電子カルテを画面表示した診療時に、該電子カルテの操作に拘わらず、前記健康保険証の有効／無効および健康保険内容を、該電子カルテ表示画面上に常時表示する手段とを備えたことを特徴とする。
【００２３】
（２）医療施設における診療、医療事務、投薬等の医療業務を支援し、健康保険証情報と診察券情報の少なくとも一方の情報をもつＩＣカードの読取りで患者の診療情報の画面表示と入力操作および管理を可能にした医療支援コンピュータシステムにおける保険診療支援システムであって、
患者の診療前に、患者の健康保険証の有効／無効および健康保険内容の認証を得ておく手段と、
患者の診療情報を画面表示した診療時に、該診療情報の操作に拘わらず、前記健康保険証の有効／無効および健康保険内容を、該診療情報の表示画面上に常時表示する手段とを備えたことを特徴とする。
【００２４】
（３）前記健康保険証の有効／無効および健康保険内容の認証は、健康保険組合側に検証機構を用意し、医療施設側の医療支援コンピュータシステムに健康保険証承認機構を用意し、両機構が広域ネットワークを介した通信によって得る機構を備えたことを特徴とする。
【００２５】
（４）前記健康保険証に代えて、患者からクレジットカードまたはデビットカードの提示を受けたとき、該カードの認証を得ることで前記健康保険証の有効／無効および健康保険内容の仮の認証とする手段を備えたことを特徴とする。
【００２６】
（５）前記クレジットカードの認証は、クレジットカード発行機関側に検証機構を用意し、医療施設側の医療支援コンピュータシステムにクレジットカード承認機構を用意し、両機構が広域ネットワークを介した通信によって得る機構を備えたことを特徴とする。
【００２７】
（６）前記医療支援コンピュータシステムは、診療後の処方箋の発行に際して、前記健康保険証および健康保険内容の認証結果に応じて、または前記クレジットカードの認証結果に応じて、患者の会計および投薬に際して付加情報として通知し、患者負担率を基にした請求額を自動的に算定する手段を備えたことを特徴とする。
【００２８】
（７）医療施設における診療、医療事務、投薬等の医療業務を支援し、電子カルテ方式で患者の診療情報の画面表示と入力操作および管理を可能にした医療支援コンピュータシステムにおける保険診療支援方法であって、
患者の診療前に、患者の健康保険証の有効／無効および健康保険内容の認証を得ておく過程と、
電子カルテを画面表示した診療時に、該電子カルテの操作に拘わらず、前記健康保険証の有効／無効および健康保険内容を、該電子カルテ表示画面上に常時表示する過程とを備えたことを特徴とする。
【００２９】
（８）医療施設における診療、医療事務、投薬等の医療業務を支援し、健康保険証情報と診察券情報の少なくとも一方の情報をもつＩＣカードの読取りで患者の診療情報の画面表示と入力操作および管理を可能にした医療支援コンピュータシステムにおける保険診療支援方法であって、
患者の診療前に、患者の健康保険証の有効／無効および健康保険内容の認証を得ておく過程と、
患者の診療情報を画面表示した診療時に、該診療情報の操作に拘わらず、前記健康保険証の有効／無効および健康保険内容を、該診療情報の表示画面上に常時表示する過程とを備えたことを特徴とする。
【００３０】
（９）前記健康保険証の有効／無効および健康保険内容の認証は、健康保険組合側に検証過程を用意し、医療施設側の医療支援コンピュータシステムに健康保険証承認過程を用意し、両過程が広域ネットワークを介した通信によって得る過程を備えたことを特徴とする。
【００３１】
（１０）前記健康保険証に代えて、患者からクレジットカードまたはデビットカードの提示を受けたとき、該カードの認証を得ることで前記健康保険証の有効／無効および健康保険内容の仮の認証とする過程を備えたことを特徴とする。
【００３２】
（１１）前記クレジットカードの認証は、クレジットカード発行機関側に検証過程を用意し、医療施設側の医療支援コンピュータシステムにクレジットカード承認過程を用意し、両過程が広域ネットワークを介した通信によって得る過程を備えたことを特徴とする。
【００３３】
（１２）前記医療支援コンピュータシステムは、診療後の処方箋の発行に際して、前記健康保険証および健康保険内容の認証結果に応じて、または前記クレジットカードの認証結果に応じて、患者の会計および投薬に際して付加情報として通知し、患者負担率を基にした請求額を自動的に算定する過程を備えたことを特徴とする。
【００３４】
【発明の実施の形態】
図１は、本発明の実施形態を示す保険診療の認証処理手順図であり、図５に示す医療支援コンピュータシステムのうち、医院向けの簡易式システムで、その付加機能として電子カルテを採用するシステムに適用した場合である。
【００３５】
医療施設が患者から診察券受付けまたは初診受付けしたとき（Ｓ１）、この受付で保険証提示の有無をチェックする（Ｓ２）。このチェックで、保険証の提示が有った場合、保険証番号を自動または受付員によるキー入力で読み取り（Ｓ３）、保険証の認証を行う（Ｓ４）。この保険証認証は、後に詳細に説明するように、医療支援コンピュータシステムから広域ネットワークを通して外部の認証機構による認証を受け、認証を得られた場合には保険種別等に応じた保険診療扱いと決定し、得られない場合には非保険診療扱いと決定する。
【００３６】
次に、処理Ｓ２において、健康保険証の提示が無い場合、前回までの受診時に健康保険証の提示が有ったか否かをチェックし（Ｓ５）、提示された場合には医療支援コンピュータシステムがもつデータベースから健康保険証番号を読出し（Ｓ６）、Ｓ４の健康保険証認証（Ｓ４）に移行する。これらチェック処理Ｓ５および読出し処理Ｓ６は、データベースへのアクセスで自動化することもできる。これら処理Ｓ２〜Ｓ６により、患者の診療前に、患者の健康保険証の有効／無効および健康保険内容の認証を得ておくことができる。
【００３７】
次に、処理Ｓ５において、健康保険証の提示が初診で持参を忘れた場合や前回受診までも無かった場合、もしくは患者が出先で急病になって健康保険証提示ができなかった場合、患者がクレジットカード（またはデビットカード）を保有していればクレジットカードの有効性を確認する（Ｓ７）。このクレジットカードの有効性の確認は、上記の保険証認証と同様に、外部の認証機構により認証を受ける。処理Ｓ７に確認でクレジットカードが有効であれば、クレジットカードを担保とした保険診療扱いと決定する（Ｓ８）。また、クレジットカードが無効であれば、非保険診療扱いと決定する（Ｓ９）。これら処理Ｓ７〜Ｓ９により、患者の診療前に、患者のクレジットカードの認証から、患者の健康保険証の有効／無効および健康保険内容の仮の認証を得ておくことができる。
【００３８】
以上までの処理Ｓ４，Ｓ８，Ｓ９によって決定された保険診療扱いと非保険診療扱いの情報は、実際の診療に際して電子カルテ表示画面での常時表示画像として表示させる（Ｓ１０）。この表示形態は、図２に表示画面例を示すように、電子カルテの内容と担当医の名前と各種検査結果（レントゲン写真、超音波、ＣＴ、血液、尿など）の写真やデータの表示（一括表示またはウインドウ切換え表示）に際して、患者に対する保険診療扱い／非保険診療扱いの区別及び保険診療扱いの場合にはその健康保険内容を常時表示させる。この表示には、担当医が意識することなく判り易い方法とし、例えば、画面を構成するウインドウの枠や、ウインドウ自体の配色を変え、また、ウインドウの固定位置一枠や右上隅等々に行うのが好ましい。
【００３９】
この保険診療扱いと非保険診療扱いおよび保険内容の常時表示により、診療担当医は電子カルテ等の視認に際して、患者の健康保険証の有効／無効および保険内容を意識することなく確実に認識することが可能となり、診療担当医は診療（Ｓ１１）に取り掛かる前に、事前に患者の治療費の支払方法を知って、患者の負担を考慮した治療方法を選択することもできる。診療を終了した後は、従来と同様に、処方箋の発行による会計や投薬などに移行する（Ｓ１２）。これら健康保険証の有効／無効および保険内容は、会計および投薬に際して付加情報として通知され、患者負担率を基にした請求額が自動的に算定される。
【００４０】
なお、図１の手順において、健康保険証の提示（Ｓ２）は、比較的規模の大きい病院などでは、初診者は最初に健康保険証の提示を受けるが、再診患者に対しては診察券提示によって診療を終えた後に医療事務システム２側でなされる場合が多い。この医療システムに本実施形態を適用するには、受付けた診察券を基にデータベースから患者の健康保険証番号を読出し（Ｓ６）、健康保険証の認証（Ｓ４）を行うことで済む。
【００４１】
次に、図１における健康保険証の認証（Ｓ４）とクレジットカードの有効性認証（Ｓ７）は、本願出願人は会員認証システムを既に提案しており（特願２００２−２２２６９５）、このシステムの変形例として実現できる。このシステムを以下に詳細に説明する。
図３は、クレジットカード認証システムの構成図である。本システムは、クレジットカード発行機関１１側に検証機構１１Ａを、クレジットカードの提示により医療サービス提供者（医療施設）側１２の医療支援コンピュータシステムにクレジットカード承認機構１２Ａを用意し、広域ネットワーク１３を介してそれらを通信接続可能にする。さらに、ネットワーク１３を介して相手先の提供と両者で行われる通信の暗号・相手保証を提供する保証機構１４を用意する。
【００４２】
以下、各機構がコンピュータ処理手段および情報通信手段として搭載する各種機能を説明する。
（１）検証機構１１Ａ
検証機能：クレジットカード承認機構１２Ａより送信されたクレジットカード情報（カード番号や住所など）と、クレジットカードを提示した本人の氏名と、それに記載されていない本人自身の情報（クレジットカード発行機関単位に提示：以降、本人確認情報）を用いて会員マスタ１１Ｂを検索し、有効の場合はその旨を、無効の場合はその旨をクレジットカード承認機構１２Ａに返信する。
変更通知機能：クレジットカード会員に関する登録内容に変更が発生した場合、変更が発生したクレジットカード会員に対し以前認証を求めた医療サービス提供者１２に対し、登録内容の変更が発生した旨の通知を送信する。
【００４３】
更新有無検証機能：医療サービス提供者１２より送信されてくるクレジットカード番号に対し、登録内容の更新の有無を送信されて来たクレジットカード番号に従って返信する。
検証依頼履歴管理機能：医療サービス提供者１２からの有効性認証依頼の履歴をクレジットカード単位に『認証依頼日時』、『認証依頼者（医療サービス提供者）』、『認証に用いた情報』、『認証結果』等を一定期間（クレジットカードの有効期間等）保存し、クレジットカードの変更通知機能や認証に係わる事故・事件等への対応に用いる。
【００４４】
（２）クレジットカード承認機構１２Ａ
クレジットカード承認機能：提示されたクレジットカードの発行機関名や会員番号及びクレジットカードに記載されている付随情報と、クレジットカード提示者の氏名と、クレジットカード発行機関１１で予め提示する本人確認情報を入力し、自身の保持する承認マスタ１２Ｂを検索し、有資格者の場合はその旨を提示する。また、資格情報が不明の場合は、発行機関名により確定する発行機関の検証機構１１Ａを用いて検証し、その結果を提示すると共に、有資格者であった場合は、承認マスタ１２Ｂに追加保存する。
【００４５】
承認マスタ自動更新機能（その１）：クレジットカード発行機関１より更新通知を受けた場合、承認マスタ１２Ｂ上の更新通知を発信した発行機関の会員証情報より会員証番号を総て発行機関に送信し、会員証毎に更新の有無を受け取ると共に、更新の発生した承認マスタ上の更新前の会員証情報を無効に設定（又は削除）する。
承認マスタ自動更新機能（その２）：会員証に記載されている有効期限に達した会員証情報を自動的に無効に設定（又は削除）する。
【００４６】
（３）保証機構４
クレジットカード発行機関１と医療サービス提供者２が明なる関係の下に無い為、両者に関係が発生した場合に両者に対し真正性を含め相手の通信先を提供すると共に、通信の安全性を確保する。
【００４７】
図４は、図３のクレジットカード認証システムを健康保険証検証システムに応用した例を示し、本人情報として氏名、続柄、事業所電話番号等を承認する検証機能処理の流れは、以下のようになる。
【００４８】
（Ｓ２１）医療サービス提供者２２は、提示された保険証の情報より記号、保険証番号、被保険者の住所、氏名、生年月目、被保険者事業者名、被保険者事業者住所を会員証承認機構２２Ａに入力し、さらに本人（患者）の情報から氏名、被保険者との続柄、事業所電話番号を会員証承認機構２２Ａに入力する。
（Ｓ２２）健康保険証承認機構２２Ａは、入力された内容で自身の持つ承認マスタ２２Ｂで照合し、照合できた場合は、有効を提示する。
【００４９】
（Ｓ２３）上記の（Ｓ２２）で照合出来なかった場合、入力された記号＋保険証番号を保証機構２４の公開鍵で暗号化し保証機構２４に送信する。
（Ｓ２４）保証機構２４は、上記の（Ｓ２３）の処理で受信した記号＋保険証番号に該当する健康保険組合２１のアドレスと公開鍵を医療施設の公開鍵で暗号化して医療施設の健康保険証承認機構２２Ａに返信する。
【００５０】
（Ｓ２５）健康保険証承認機構２２Ａは、上記の（Ｓ２４）の処理で健康保険組合のアドレスと公開鍵を受信した（Ｓ２１で入力された）内容と自身の識別名を健康保険組合の公開鍵で暗号化し、健康保険組合の検証機構２１Ａに送信する。
（Ｓ２６）健康保険組合の検証機構２１Ａは、上記の（Ｓ２５）の処理で受信した被保険者情報（Ｓ２１で入力した内容）で会員マスタ２１Ｂの情報と照合し、照合結果を以降の手順で医療施設の健康保険証承認機構２２Ａに返信する。
【００５１】
（Ｓ２７）健康保険組合の検証機構２１Ａは、上記の（Ｓ２６）の処理で得た医療施設の識別名を保証機構２４にその公開鍵で暗号化して送信する。
（Ｓ２８）保証機構２４は、上記の（Ｓ２７）の処理で受信した識別名に該当する医療施設のアドレスとその公開鍵を健康保険組合２１の公開鍵で暗号化して返信する。
【００５２】
（Ｓ２９）健康保険組合２１の検証機構２１Ａは、上記の（Ｓ２８）の処理で受信した照合結果を医療施設２２の公開鍵で暗号化し、医療施設の健康保険証承認機構２２Ａに返信する。
（Ｓ３０）医療施設の健康保険証承認機構２２Ａは、上記の（Ｓ２９）の処理で受信した検証結果を提示すると共に、自身の承認マスタ２２Ｂに（Ｓ２１）で入力された内容を登録する。
【００５３】
以上のような保険診療支援システムおよび保険診療支援方法により、医療施設側は、患者のクレジットカードおよび健康保険証の認証の基に適正な保険診療が可能となる。
【００５４】
なお、以上までの実施形態では、電子カルテ方式による保険診療支援システムおよび保険診療支援方法を示すが、診察券情報または／および健康保険証情報を記録したＩＣカードによる保険診療支援に適用して同等の作用効果を得ることができる。
【００５５】
例えば、ＩＣカードの提示を受けた病院側では、それに記録される診察券情報を読取り、患者の電子カルテ情報を診療支援システム側に転送しておき、ＩＣカードから読取った健康保険証情報の有効／無効および健康保険内容の認証を得ておき、電子カルテを画面表示した診療時に電子カルテの操作に拘わらず、健康保険証の有効／無効および健康保険内容を、診療画面上に常時表示することで適性な保険診療および投薬を可能にする。なお、ＩＣカードを利用した診療には、電子カルテと組み合わせたシステムとすることなく、従前のペーパ方式のカルテと投薬情報などの診療情報を画面表示する診療に、健康保険証の有効／無効および健康保険内容を、診療情報表示画面上に常時表示する診療形態に適用することができる。
【００５６】
また、ＩＣカードに記録された健康保険証情報の有効／無効および健康保険内容の認証を、健康保険組合側に検証機構を用意し、医療施設側の医療支援コンピュータシステムに健康保険証承認機構を用意し、両機構が広域ネットワークを介した通信によって得るシステムまたは方法に適用できる。
【００５７】
また、診察券情報のみが記録されたＩＣカードで受診する際、患者からクレジットカードまたはデビットカードの提示を受けたとき、該カードの認証を得ることで健康保険証の有効／無効および健康保険内容の仮の認証とするシステムまたは方法に適用できる。また、クレジットカードの認証は、クレジットカード発行機関側に検証機構を用意し、医療施設側の医療支援コンピュータシステムにクレジットカード承認機構を用意し、両機構が広域ネットワークを介した通信によって得るシステムまたは方法に適用できる。
【００５８】
また、ＩＣカードで受診する際、医療支援コンピュータシステムは、診療後の処方箋の発行に際して、健康保険証および健康保険内容の認証結果に応じて、またはクレジットカードの認証結果に応じて、患者の会計および投薬に際して付加情報として通知し、患者負担率を基にした請求額を自動的に算定するシステムまたは方法に適用できる。
【００５９】
【発明の効果】
以上のとおり、本発明によれば、患者の健康保険証の有効／無効および健康保険内容を担当医が診療時に意識することなく判り易い方法で提示可能としたため、患者が不適性な健康保険証を持参した／または患者が健康保険証を持参できなかった場合にも適正な保険診療および投薬が可能となる。
【００６０】
また、患者がクレジットカード等を提示することで、このカードの認証を得ることで健康保険証および保険内容の仮の認証として、保険診療が受けられるようにするため、患者が出先に於ける急病等で、健康保険証を所持していない場合にも適正な保険診療および投薬が可能となる。
【図面の簡単な説明】
【図１】本発明の実施形態を示す保険診療の認証処理手順図。
【図２】実施形態における診療時の表示画面例。
【図３】実施形態におけるクレジットカード認証システムの構成図。
【図４】実施形態における健康保険証認証システムの構成図。
【図５】医療支援コンピュータシステムの構成図。
【符号の説明】
１…診療支援システム
２…医療事務システム
３…検査部門
４…薬局部門
５…サーバ
６…連携医療施設
７…サポートセンタ
８…外注検査施設
【図１】
2004246854.tif 000003
【図２】
2004246854.tif 000004
【図３】
2004246854.tif 000005
【図４】
2004246854.tif 000006
【図５】
2004246854.tif 000007